(57)【要約】【課題】本発明は、必要最小限の防水性を確保しつつ、製造コストを低減できる表示装置を提供することを目的とした。【解決手段】表示装置１は、筐体８と、筐体８に内蔵される画像表示モジュール２及び制御基板６、７を有する。筐体８は、タッチパネル３とケース部材５を有し、ケース部材５の開放部２３をタッチパネル３が密閉するように形成されている。そして、タッチパネル３とケース部材５によって形成された筐体８の内部において、画像表示モジュール２が表示部１０をタッチパネル３の導電膜層１３に密着するように取り付けられている。【選択図】図３
2013011664.tif 000002
【特許請求の範囲】
【請求項１】
筐体内部に画像表示モジュールを有する表示装置であって、
透明且つ防水性を有する基板を備えたタッチパネルと、少なくとも１面が開放されたケース部材とを有し、タッチパネルが、ケース部材の開放部を閉塞して筐体を形成するもので、
筐体が形成された状態において、タッチパネルの操作領域がケース部材の開放部のほぼ全体あるいは一部に配置されると共に、画像表示モジュールが、タッチパネルに密着あるいは近接するように配されることを特徴とする表示装置。
【請求項２】
ケース部材とタッチパネルは、組み合わされた際に、ケース部材の開放部を形成する部分と、タッチパネルのパネル面の縁端とが当接するもので、当該当接部は両面テープで接着されていることを特徴とする請求項１に記載の表示装置。
【請求項３】
画像表示モジュール及びタッチパネルを制御する制御基板を有し、
タッチパネルは、前記制御基板と接続する電装線を有し、当該電装線の基端部は、筐体内部であってケース部材の内壁近傍に位置されていることを特徴とする請求項１又は２に記載の表示装置。
【請求項４】
建屋の壁面に設置するものであることを特徴とする請求項１乃至３のいずれかに記載の表示装置。
【発明の詳細な説明】
【技術分野】
【０００１】
本発明は、表示装置に関するものであり、特に防水性を備えた表示装置に関する。
【背景技術】
【０００２】
従来より、給湯器の動作を制御可能なリモコン装置として、タッチパネルを備えたものが普及している（例えば、特許文献１）。
このタッチパネルは、従来より公知であり、抵抗膜式、静電容量式、並びに、赤外線式等の各種異なる方式が存在し、パネルに表示された操作項目に、手指その他によって直接入力する入力デバイスである。
【０００３】
また、浴室内において、入浴しながらテレビ番組等が視聴できる浴室用テレビが人気を呼んでいる。例えば、特許文献２の浴室用テレビは、防水性を有した筐体を備え、当該筐体は、後ケース、前ケース、及び、前ケースに設けられた開口部を覆う透明の液晶保護パネルによって形成され、その筐体内に実際に映像を映し出す液晶表示ユニットを備えた構成とされている。即ち、このような浴室用テレビは、防水性を備えた筐体内に、映像を表示する液晶表示ユニットが内蔵されており、入浴者が、液晶保護パネルを介して、所望の映像を視聴できる構成とされている。
【０００４】
そして、最近では、浴室内に設置するリモコン装置として、テレビとタッチパネルの双方の機能を兼ね備えた表示装置が市場に提供されている。即ち、この種の表示装置であれば、１つの装置で、給湯器の操作と、テレビの視聴ができるため、非常に便利である。
【先行技術文献】
【特許文献】
【０００５】
【特許文献１】特許４３８１２２７号公報
【特許文献２】特開２００９−５５４２９号公報
【発明の概要】
【発明が解決しようとする課題】
【０００６】
しかしながら、従来技術の表示装置は、実質的に製造コストが嵩み、需要者に低価格で提供できないという不満があった。
一般的に、テレビ機能とタッチパネル機能を備えた表示装置は、前記した浴室用テレビとほぼ同様の防水構造が採用されている。即ち、図９、１０に示すように、従来技術の表示装置１０１は、後ケース１０４と、液晶保護パネル１０６を備えた前ケース１０５とによって筐体１０８が形成され、その内部に液晶表示ユニット１０２とタッチパネル１０３の複合体１１０を配置した構成とされている。なお、このタッチパネル１０３は、保護層１１２と導電膜層１１３とで構成されている。
【０００７】
ここで、液晶保護パネル１０６や前ケース１０５は、外部に露出するため、防水性だけでなく、デザイン性や強度の面においても一定水準以上を確保する必要があり、他部材に比べて比較的高価である。
ところが、現在の技術において、それらの部材のコストを抑えつつ、防水性等を維持した商品を市場に提供することは困難であった。
【０００８】
そこで、本発明では、上記した従来技術の問題点に鑑み、必要最小限の防水性を確保しつつ、製造コストを低減できる表示装置を提供することを課題とする。
【課題を解決するための手段】
【０００９】
上記課題を解決するため、請求項１に記載の発明は、筐体内部に画像表示モジュールを有する表示装置であって、透明且つ防水性を有する基板を備えたタッチパネルと、少なくとも１面が開放されたケース部材とを有し、タッチパネルが、ケース部材の開放部を閉塞して筐体を形成するもので、筐体が形成された状態において、タッチパネルの操作領域がケース部材の開放部のほぼ全体あるいは一部に配置されると共に、画像表示モジュールが、タッチパネルに密着あるいは近接するように配されることを特徴とする表示装置である。
【００１０】
本発明の表示装置は、ケース部材とタッチパネルとで筐体を形成し、その筐体の内部に画像表示モジュールを配する構成としている。換言すれば、本発明では、従来技術において採用されていた保護パネルに換えて、タッチパネルを筐体の一部として採用している。そのため、本発明では、保護パネル（上記した前ケース含む）を実質的に省略することができる。また、本発明の表示装置は、タッチパネルは、透明且つ防水性を有する部材であるため、従来技術同様、防水性を備えた表示装置となる。
したがって、本発明によれば、従来技術において防水性を確保するために採用していた部材を省いた構成にしたとしても、タッチパネルによって防水性を確保でき、さらに製造コストも減縮することができる。
また、本発明においては、保護パネルを省略することで、表示装置全体の厚みを薄くできるため、壁面等に取り付ける場合においては、壁面からの突出量を減少させる効果が期待できる。
さらに本発明では、画像表示モジュールを、筐体の一部として採用されたタッチパネルに密着あるいは近接するように配したため、液晶表示モジュールの表示の見え方が従来技術と比べて劣ることがない。即ち、本発明では、従来と同様の品質を維持することができる。
【００１１】
請求項２に記載の発明は、ケース部材とタッチパネルは、組み合わされた際に、ケース部材の開放部を形成する部分と、タッチパネルのパネル面の縁端とが当接するもので、当該当接部は両面テープで接着されていることを特徴とする請求項１に記載の表示装置である。
【００１２】
かかる構成によると、ケース部材における開放部を形成する部分と、タッチパネルの縁端とを両面テープで接着しているため、取り付けが容易である。
【００１３】
本発明の表示装置は、画像表示モジュール及びタッチパネルを制御する制御基板を有し、タッチパネルは、前記制御基板と接続する電装線を有し、当該電装線の基端部は、筐体内部であってケース部材の内壁近傍に位置されていることが望ましい。（請求項３）
【００１４】
また、本発明の表示装置は、建屋の壁面に設置するものであることが望ましい。（請求項４）
【発明の効果】
【００１５】
本発明の表示装置では、画像表示モジュールを内蔵する筐体を、ケース部材とタッチパネルで形成したため、従来技術において必須部品であった保護パネルを省略することができる。これにより、筐体の防水性を維持しつつ、製造コストを下げることができるため、高い品質のものを低価格で提供することができる。
【図面の簡単な説明】
【００１６】
【図１】本発明の表示装置を浴室内に設置した状態を示す説明図である。
【図２】図１の表示装置を概念的に示す斜視図である。
【図３】図１の表示装置を概念的に示す分解斜視図である。
【図４】図２の表示装置を概念的に示すＡ−Ａ断面図である。
【図５】タッチパネルを概念的に示した平面図である。
【図６】ケース部材の変形例を概念的に示す断面図である。
【図７】ケース部材の別の変形例を概念的に示す断面図である。
【図８】表示装置の変形例を概念的に示す断面図である。
【図９】表示装置の別の変形例を概念的に示す断面図である。
【図１０】従来技術の表示装置を示す分解斜視図である。
【図１１】図９の表示装置の組み立て後の断面図である。
【発明を実施するための形態】
【００１７】
以下に、本発明の実施形態に係る表示装置１について説明する。
本実施形態の表示装置１は、図１に示すように、浴室の壁面に取り付けるものであって、テレビ番組等の映像を表示するテレビ機能と、給湯装置（図示しない）を遠隔操作可能なリモコン機能とを備えた構成とされている。
即ち、本実施形態の表示装置１は、図２、３に示すように、映像を表示する液晶表示モジュール（画像表示モジュール）２と、リモコン機能を発揮する入力デバイスたるタッチパネル３と、タッチパネル３と共に筐体８を形成するケース部材５と、液晶表示モジュール２を制御する映像制御基板６及びタッチパネル３上の操作入力を検出するタッチパネル制御基板７とで構成されている。
【００１８】
液晶表示モジュール２は、液晶テレビ等に採用される汎用のモジュールであって、表示部１０に動画や操作項目等の静止画を表示するものである。また、液晶表示モジュール２は、図３、４に示すように、液晶側電装線２１を介して、映像制御基板６と電気的に接続された構成とされている。即ち、液晶表示モジュール２は、映像制御基板６によって、表示部１０に表示される映像が制御される。
【００１９】
タッチパネル３は、公知技術のそれと同様の静電容量式のパネルが採用されている。具体的には、タッチパネル３は、図３、４に示すように、透明且つ防水性を備えたガラスやアクリル等の樹脂で形成された板状の保護層１２と、透明導電膜により構成された導電膜層１３とにより構成されたパネルである。
なお、本実施形態におけるタッチパネル３は、一定の強度を確保するために、パネル厚が１．１〜３ｍｍの条件を満たすように設定されている。
【００２０】
また、タッチパネル３は、導電膜層１３が保護層１２の内側に位置するように配されている。即ち、図５に示すように、導電膜層１３の縁端が、保護層１２の縁端から一定距離（距離ｐ）離反した位置に配されるような構成とされている。より具体的には、保護層１２の縁端から導電膜層１３の縁端までの距離は、後述するケース部材５の部材厚と同等あるいはそれより若干長い程度とされている。
【００２１】
また、導電膜層１３は、テール状に延びたパネル側電装線２０を有し、パネル側電装線２０を介して、タッチパネル制御基板７と電気的に接続されている。
なお、タッチパネル制御基板７と映像制御基板６とは、基板接続電装線２２を介して、電気的に接続されている。即ち、本実施形態の表示装置１は、映像制御基板６からタッチパネル制御基板７に駆動電源の供給が行われると共に、映像制御基板６とタッチパネル制御基板７との間で、タッチパネル上での操作入力検出のための信号の送受信が行われる。
【００２２】
ケース部材５は、樹脂等で構成されており、図３に示すように、一面が開放（開放部２３）された箱状部材である。そして、ケース部材５は、図４に示すように、内部に機器等を収容する収容空間１５を有する。即ち、ケース部材５は、開放部２３を介して、収容空間１５に機器等を収容することができる構成である。
また、本実施形態では、ケース部材５の開放部２３に対向する壁面３０の部材厚ｓより、壁面３０に直交する壁面３１〜３４の部材厚ｔの方が若干厚くなるように設定されている。換言すれば、ケース部材５の開放部２３を形成する壁面３１〜３４の部材厚ｔは、一定値よりも大きい厚みとされ、平面部２５を形成している。具体的には、壁面３１〜３４の部材厚ｔは（平面部２５の幅）、２ｍｍ以上とされ、具体的には４〜８ｍｍ程度であり、より好ましくは４〜５ｍｍである。
【００２３】
続いて、本実施形態の表示装置１の各部材の位置関係について説明する。
本実施形態の表示装置１は、タッチパネル３とケース部材５とによって筐体８を形成し、その筐体８の内部に液晶表示モジュール２と映像制御基板６とタッチパネル制御基板７とが内蔵された構成とされている。
即ち、筐体８は、図４に示すように、タッチパネル３のパネル面の縁端部分と、ケース部材５の開放部２３側とが当接するように配されて形成されており、当該当接部においては、接着剤が塗布された接着手段たる両面テープを介して接合されている。より具体的には、タッチパネル３における、導電膜層１３が貼り付けられたパネル面であって、導電膜層１３が位置しない部分と、ケース部材５における、壁面３１〜３４の部材厚ｔによって形成された平面部２５とが、両面テープを介して接合され、収容空間１５が密閉状態にされている。換言すれば、タッチパネル３をケース部材５に貼り合わせた状態においては、タッチパネル３の導電膜層１３が、ケース部材５の開放部２３の内側に位置する関係であり、さらに、導電膜層１３のパネル側電装線２０が、開放部２３の内側であって壁面３１〜３４のいずれかの近傍に位置する関係である。
【００２４】
そして、その筐体８の内部においては、液晶表示モジュール２がタッチパネル３に密着するように配されて、接着手段たる接着剤を介して貼り合わされている。即ち、液晶表示モジュール２は、タッチパネル３と一体的に接合され、複合体１６を形成している。そして、筐体８の内部であって、その複合体１６の背面側（液晶表示モジュール２を基準としたタッチパネル３の反対側）に、映像制御基板６及びタッチパネル制御基板７が配されている。換言すると、映像制御基板６及びタッチパネル制御基板７は、ケース部材５の壁面３０と液晶表示モジュール２の背面側の間に挟まれる位置に配されている。
【００２５】
以上のように、本実施形態の表示装置１は、タッチパネル３を用いて液晶表示モジュール２を内蔵する筐体８を形成するため、従来必須としていた筐体の一部を構成する液晶保護パネル等を要することなく防水性を確保することができる。また、本実施形態では、タッチパネル３の厚みを一定以上に設定しているため、前記液晶保護パネルに劣らない強度を確保することができる。即ち、本実施形態の表示装置１は、従来よりも部品点数を減らすことができるため、製造コストを低減できる上、従来技術の表示装置と同様の品質を確保することができる。これにより、本実施形態によれば、高品質の表示装置１を、低価格で需要者に提供することが可能となる。
【００２６】
上記実施形態では、静電容量式の構成を有したタッチパネルを採用した構成を示したが、本発明ではこれに限定されず、公知の技術の抵抗膜式のものや、赤外線式のもの等、いずれの方式のタッチパネルを採用した構成であっても構わない。
【００２７】
上記実施形態では、ケース部材５の壁面３１〜３４の部材厚ｔを厚くして平面部２５を形成する構成を示したが、本発明はこれに限定されず、例えば、図６、７に示すように、ケース部材３７、３８における開放部２３を形成する壁面の端部側に、開放部２３の内側あるいは外側方向（当該壁面にほぼ直交する方向）に折り込んだようなフランジ状の平面部２６、２７を形成する構成であっても構わない。この構成によれば、平面部２６、２７にタッチパネルを貼り合わせることが可能となり、上記実施形態と同様の効果を得ることができる。
【００２８】
上記実施形態では、タッチパネル３と液晶表示パネル２を接着手段で貼り合わせて、両者を密着状態にする構成を示したが、本発明ではこれに限定されず、タッチパネルと液晶表示パネル２は近接する配置であっても構わない。この場合、図８に示すように、図６に示したケース部材３７を採用し、液晶表示パネル２がタッチパネルに対して相対的に移動しないように、ケース部材に確実に固定できる位置固定手段を設ける必要がある。即ち、図８に示すように、ケース部材３７の平面部２６の背面側（タッチパネル３が取り付けられる面の反対側）の面に固定する構成が挙げられる。なお、この構成を採用する場合には、図８に示すように、ケース部材を左右に２分割する構造とし、さらに開放部２３の一部を切り欠いて、パネル電装線２０をタッチパネル制御基板７側に導く電装線用開口４０を設ける必要がある。
【００２９】
また、上記実施形態では、液晶表示モジュール２をタッチパネル３やケース部材５に直接的に固定する構成を示したが、本発明ではこれに限定されず、例えば、液晶モジュール２を固定する固定部材を用いて、筐体内に内蔵する構成であっても構わない。具体的には、図９に示すように、図６に示したケース部材３７を採用し、そのケース部材３７のフランジ状の平面部２６の背面側（タッチパネル３が取り付けられる面の反対側）の面に、断面形状がほぼ「Ｔ」字型の固定部材４１を取り付けて、その固定部材４１に液晶表示モジュール２を固定する構成が挙げられる。より具体的に説明すると、対向する１対（例えば上下）の平面部２６にそれぞれ固定部材４１を配し、ビス等を用いてケース部材３７に対して固定部材４１を取り付け、その１対の固定部材４１が対向する間に、液晶表示モジュール２を配して挟持する。そして、固定部材４１における液晶表示モジュール２を挟持する側の面に、接着剤や両面テープ等の接着手段を設け、接着手段を介して液晶表示モジュール２を固定する。
以上のように、固定部材４１を用いれば、液晶表示モジュール２を筐体に対して、間接的に固定することができる。
なお、この構成を採用する場合は、図９に示すように、ケース部材を左右に２分割する構造とし、さらに、必要に応じ、タッチパネル３のパネル電装線２０をタッチパネル制御基板７側に導くための開口部を固定部材４１に設ける。
【００３０】
上記実施形態では、タッチパネル３の導電膜層１３が、ケース部材５の開放部２３の内側いっぱいに貼り合わされた構成を示したが、本発明ではこれに限定されず、ケース部材５の開放部２３の内側の一部に導電膜層が貼り合わされた構成であっても構わない。
【００３１】
上記実施形態では、浴室の壁面に設置する構成を示したが、本発明ではこれに限定されず、浴室以外の壁面に設置する構成であっても構わない。また、建屋の壁面に設置することなく、持ち運び可能な携帯用の表示装置であっても構わない。
【００３２】
上記実施形態では、液晶表示モジュール２を筐体８に内蔵した構成を示したが、本発明ではこれに限定されず、例えば、液晶表示モジュール２に換えて、有機ＥＬにより構成された画像表示モジュールを採用した構成であっても構わない。
【符号の説明】
【００３３】
１    表示装置
２    液晶表示モジュール（画像表示モジュール）
３    タッチパネル
５、３７、３８    ケース部材
８    筐体
１０    表示部
１２    保護層
１３    導電膜層
２０    パネル側電装線
２３    開放部
２５、２６、２７    平面部
３１、３２、３３、３４    壁面
【図１】
2013011664.tif 000003
【図２】
2013011664.tif 000004
【図３】
2013011664.tif 000005
【図４】
2013011664.tif 000006
【図５】
2013011664.tif 000007
【図６】
2013011664.tif 000008
【図７】
2013011664.tif 000009
【図８】
2013011664.tif 000010
【図９】
2013011664.tif 000011
【図１０】
2013011664.tif 000012
【図１１】
2013011664.tif 000013